(57)【要約】  メモリを介して画像信号を表示パネルに転送するメモリ表示モードと、メモリを介さずに画像信号を表示パネルに転送する通常表示モードとの切り替え時における表示画像のちらつきを防止する。ＬＣＤコントローラ（３）は、通常表示モードとメモリ表示モードとの切り替えにおいて、外部タイミング信号（ＴＭＧ１）が内部タイミング信号（ＴＭＧ２）を基準とする切替判定期間に含まれるように、内部タイミング信号（ＴＭＧ２）のタイミングを調整するタイミング調整部（３３ａ）と、外部タイミング信号（ＴＭＧ１）が切替判定期間に含まれたとき、通常表示モードとメモリ表示モードとを切り替える表示モード切替部（３３ｃ）とを備えている。
2016194974.tif 000002
【特許請求の範囲】
【請求項１】
メモリを介さずに転送される画像信号および当該画像信号によって画像を表示するタイミングを規定する第１タイミング信号を表示装置に出力する通常表示モードと、前記メモリを介して転送される前記画像信号および当該画像信号によって画像を表示するタイミングを規定する第２タイミング信号を前記表示装置に出力するメモリ表示モードとを切り替える表示制御装置であって、
前記通常表示モードから前記メモリ表示モードへの切り替え時、および前記メモリ表示モードから前記通常表示モードへ切り替え時の少なくともいずれか一方において、前記第１タイミング信号が前記第２タイミング信号を基準とする切替判定期間に含まれるように、前記第２タイミング信号のタイミングを調整するタイミング調整部と、
前記第１タイミング信号が前記切替判定期間に含まれたとき、前記通常表示モードと前記メモリ表示モードとを切り替える表示モード切替部とを備えていることを特徴とする表示制御装置。
【請求項２】
前記タイミング調整部は、前記画像信号と前記第２タイミング信号との間の垂直フロントポーチおよび垂直バックポーチの少なくとも一方を短くするように前記第２タイミング信号のタイミングを調整することを特徴とする請求項１に記載の表示制御装置。
【請求項３】
前記タイミング調整部は、前記画像信号と前記第２タイミング信号との間の垂直フロントポーチおよび垂直バックポーチの少なくとも一方を長くするように前記第２タイミング信号のタイミングを調整することを特徴とする請求項１に記載の表示制御装置。
【請求項４】
前記タイミング調整部は、前記第１タイミング信号と前記第２タイミング信号との立ち上がりの差期間が所定の閾値期間以下の長さであるとき、前記画像信号と前記第２タイミング信号との間の垂直フロントポーチおよび垂直バックポーチの少なくとも一方を短くするように前記第２タイミング信号のタイミングを調整する一方、前記差期間が前記閾値期間を超える長さであるとき、前記垂直フロントポーチおよび垂直バックポーチの少なくとも一方を長くするように前記第２タイミング信号のタイミングを調整することを特徴とする請求項１に記載の表示制御装置。
【請求項５】
前記通常表示モードから前記メモリ表示モードへの切り替え時、前記画像信号を基準として、前記第１タイミング信号が前記切替判定期間に達するようなタイミングで前記第２タイミング信号を生成するタイミング信号生成部をさらに備えていることを特徴とする請求項１から４のいずれか１項に記載の表示制御装置。
【請求項６】
メモリを介さずに転送される画像信号および当該画像信号によって画像を表示するタイミングを規定する第１タイミング信号を表示装置に出力する通常表示モードと、前記メモリを介して転送される前記画像信号および当該画像信号によって画像を表示するタイミングを規定する第２タイミング信号を前記表示装置に出力するメモリ表示モードとを切り替える表示制御方法であって、
前記通常表示モードから前記メモリ表示モードへの切り替え時、および前記メモリ表示モードから前記通常表示モードへ切り替え時の少なくともいずれか一方において、前記第１タイミング信号が前記第２タイミング信号を基準とする切替判定期間に含まれるように、前記第２タイミング信号のタイミングを調整するタイミング調整工程と、
前記第１タイミング信号が前記切替判定期間に含まれたとき、前記通常表示モードと前記メモリ表示モードとを切り替える表示モード切替工程とを含んでいることを特徴とする表示制御方法。
【請求項７】
コンピュータに請求項６に記載の表示制御方法における各工程を実行させることを特徴とする表示制御プログラム。
【発明の詳細な説明】
【技術分野】
【０００１】
本発明は、表示装置の表示を制御する表示制御装置に関する。
【背景技術】
【０００２】
一般に、ホストプロセッサからＬＣＤ（Liquid Crystal Display）等の表示パネルへ画像データを転送する場合、画像データは、表示制御装置内のフレームメモリ等のメモリに一時的に保存された後に表示パネルへ出力される（以下、この動作をメモリ表示モードと称する）。これにより、画像データを更新しないとき、メモリに保存された画像データが表示パネルへ出力されるので、ホストプロセッサから画像データを転送する必要がない。【０００３】
ただし、ビデオ画像等のコンテンツを表示する場合、ホストプロセッサから表示パネルへ画像データを常時転送する必要があるため、画像データをメモリに一時的に保存する必要はない（以下、通常表示モードと称する）。このため、メモリを介さずに画像データを表示パネルに転送するので、メモリ等を含む部分へのクロック信号の出力の停止、当該部分の電源オフ等により消費電力を削減することができる。例えば、特許文献１には、上記のような通常表示モードとメモリ表示モードとを切り替える表示装置が開示されている。
【先行技術文献】
【特許文献】
【０００４】
【特許文献１】日本国公開特許公報「特開平４−１６７０２３号（１９９２年６月１５日公開）」
【発明の概要】
【発明が解決しようとする課題】
【０００５】
しかし、特許文献１に開示された表示モードの切替方法では、通常表示モードとメモリ表示モードとを切り替える際に、フレーム間にブランク期間としてＬＣＤ用駆動停止期間が発生するため、以下のような不都合を招来する。液晶ディスプレイの特性として、ある画像データが転送されると、次の画像データが転送されるまでの間、画素のコンデンサが電荷を保持することにより表示を継続している。ところが、コンデンサに保持されている電荷が時間の経過とともに自然放出されることにより表示画像の輝度が低下することで、表示画像がちらついてしまう。このため、画像データの転送間隔は、通常、表示画像にちらつきが発生しない範囲内で設定されている。従って、上記のようなブランク期間の発生により、画像データの転送間隔が、ちらつきの発生しない範囲を超えると、ちらつきが視認されることがある。本発明は、上記問題点に鑑みてなされたものであって、表示モードの切り替え時における表示画像のちらつきを防止することを目的としている。
【課題を解決するための手段】
【０００６】
上記の課題を解決するために、本発明の一態様に係る表示制御装置は、メモリを介さずに転送される画像信号および当該画像信号によって画像を表示するタイミングを規定する第１タイミング信号を表示装置に出力する通常表示モードと、前記メモリを介して転送される前記画像信号および当該画像信号によって画像を表示するタイミングを規定する第２タイミング信号を前記表示装置に出力するメモリ表示モードとを切り替える表示制御装置であって、前記通常表示モードから前記メモリ表示モードへの切り替え時、および前記メモリ表示モードから前記通常表示モードへ切り替え時の少なくともいずれか一方において、前記第１タイミング信号が前記第２タイミング信号を基準とする切替判定期間に含まれるように、前記第２タイミング信号のタイミングを調整するタイミング調整部と、前記第１タイミング信号が前記切替判定期間に含まれたとき、前記通常表示モードと前記メモリ表示モードとを切り替える表示モード切替部とを備えている。
【発明の効果】
【０００７】
本発明の一態様によれば、表示モードの切り替え時における表示画像のちらつきを防止することができるという効果を奏する。
【図面の簡単な説明】
【０００８】
【図１】本発明の実施形態１〜３に共通する表示システムを示すブロック図である。
【図２】（ａ）は本発明の実施形態１に係る表示システムにおけるＬＣＤコントローラのメモリ表示モードから通常表示モードへの切り替え時の動作を示すタイミングチャートであり、（ｂ）は（ａ）の一部を拡大して示すタイミングチャートである。
【図３】（ａ）は上記ＬＣＤコントローラのメモリ表示モードから通常表示モードへの切り替え時の処理手順を示すフローチャートであり、（ｂ）は（ａ）のフローチャートにおけるタイミング調整の詳細な処理手順を示すフローチャートである。
【図４】上記ＬＣＤコントローラにおける内部タイミング生成部によるタイミングの設定例を示す図である。
【図５】（ａ）は実施形態１の変形例に係る表示システムにおけるＬＣＤコントローラの通常表示モードからメモリ表示モードへの切り替え時の動作を示すタイミングチャートであり、（ｂ）は（ａ）の一部を拡大して示すタイミングチャートである。
【図６】上記変形例におけるＬＣＤコントローラの通常表示モードからメモリ表示モードへの切り替え時の処理手順を示すフローチャートである。
【図７】本発明の実施形態２に係る表示システムにおける内部タイミング生成部によるタイミングの変更例を示す図である。
【図８】実施形態２に係る表示システムにおける表示モード切替制御部によるタイミング調整の詳細な処理手順を示すフローチャートである。
【図９】本発明の実施形態３に係る表示システムにおける内部タイミング生成部によるタイミングの変更例を示す図である。
【図１０】実施形態３に係る表示システムにおける表示モード切替制御部によるタイミング調整の詳細な処理手順を示すフローチャートである。
【図１１】（ａ）および（ｂ）は実施形態３によるタイミング調整時間を短縮できる事例を示す図である。
【図１２】実施形態３において表示モード切替制御部がフロントポーチの設定を変更するときに用いる閾値期間の設定事例を示す図である。
【発明を実施するための形態】
【０００９】
〔表示システム〕
後述する実施形態１〜３に共通する表示システム１１について、図１を参照して説明する。図１は表示システム１１を示すブロック図である。図１に示すように、表示システム１１は、ホストプロセッサ１と、ＬＣＤ２と、ＬＣＤコントローラ３（表示制御装置）とを備えている。ホストプロセッサ１と、ＬＣＤ２と、ＬＣＤコントローラ３とには、表示システム１１の内外で発生した動作クロックＣＬＫが与えられる。なお、本表示システム１１は、表示装置としてＬＣＤ２を備えるが、背景技術で説明した問題を生じるタイプの表示装置であれば、ＬＣＤ２以外のプラズマディスプレイ、ＥＬ等を備えていてもよい。
【００１０】
ホストプロセッサ１は、ホスト画像信号ＨＤ（画像信号）、後述する表示モードを切り替えるためのモード切替制御信号ＭＳＷ、およびホストタイミング信号ＨＴＭＧを出力する。ホスト画像信号ＨＤは、画像情報（輝度情報および色情報）を表す信号である。ホストタイミング信号ＨＴＭＧは、ＬＣＤ２がＬＣＤコントローラ３から供給される後述のＬＣＤ表示信号ＬＤに基づいて画像を表示する動作のタイミングを規定する信号である。ＬＣＤ２は、ＬＣＤコントローラ３から出力されるＬＣＤタイミング信号ＬＴＭＧおよび後述のＬＣＤ表示信号ＬＤに基づいて画像を表示する。
【００１１】
ＬＣＤコントローラ３は、ホスト画像信号ＨＤを、モード切替制御信号ＭＳＷおよびホストタイミング信号ＨＴＭＧに基づいて、ＬＣＤコントローラ３に設けられたメモリ３４を介して、またはメモリ３４を介さずにＬＣＤ２に転送する表示制御装置である。ＬＣＤコントローラ３は、ホスト画像信号ＨＤの転送を行うために、制御部３１と、内部タイミング生成部３２（タイミング信号生成部）と、表示モード切替制御部（以降、単に切替制御部と称する）３３と、メモリ３４と、メモリ制御部３５と、画像切替部３６とを有している。以降の説明では、メモリ３４を介してホスト画像信号ＨＤをＬＣＤ２に転送する表示モードをメモリ表示モードと称し、メモリ３４を介さずにホスト画像信号ＨＤをＬＣＤ２に転送する表示モードを通常表示モードと称する。
【００１２】
制御部３１は、ホスト画像信号ＨＤを、内部タイミング生成部３２およびメモリ３４に出力し、画像切替部３６に表示信号Ｄ１として出力する。また、制御部３１は、ホストタイミング信号ＨＴＭＧ（外部タイミング信号ＴＭＧ１，第１タイミング信号）を切替制御部３３およびメモリ制御部３５に与える。また、制御部３１は、モード切替制御信号ＭＳＷを切替制御部３３に与える。
【００１３】
内部タイミング生成部３２は、以下に述べるタイミング比較部３３ｂによって外部タイミング信号ＴＭＧ１と比較される内部タイミング信号ＴＭＧ２（第２タイミング信号）を生成する。また、内部タイミング生成部３２は、切替制御部３３の後述する設定変更指示ＣＮＧに基づいて、内部タイミング信号ＴＭＧ２の設定を変更する。なお、内部タイミング生成部３２による内部タイミング信号ＴＭＧ２の設定については後に詳しく説明する。
【００１４】
切替制御部３３は、タイミング調整部３３ａと、タイミング比較部３３ｂと、表示モード切替部３３ｃとを有している。タイミング調整部３３ａは、モード切替制御信号ＭＳＷに基づく通常表示モードとメモリ表示モードとの切り替え時に、内部タイミング生成部３２に内部タイミング信号ＴＭＧ２の設定を変更する設定変更指示ＣＮＧを与える。タイミング比較部３３ｂは、内部タイミング生成部３２により変更された内部タイミング信号ＴＭＧ２を外部タイミング信号ＴＭＧ１と比較して、内部タイミング信号ＴＭＧ２が所定の切替判定期間にあるか否かを判定する。当該切替判定期間は、内部タイミング信号ＴＭＧ２を基準とした一定の期間であり、外部タイミング信号ＴＭＧ１と内部タイミング信号ＴＭＧ２との位相差が表示画像にちらつきを生じさせないような期間として設定される。
【００１５】
表示モード切替部３３ｃは、外部タイミング信号ＴＭＧ１が切替判定期間にあると（含まれた）判定すると、外部タイミング信号ＴＭＧ１と内部タイミング信号ＴＭＧ２とを切り替えてＬＣＤタイミング信号ＬＴＭＧとしてＬＣＤ２に出力するとともに、画像切替制御信号ＤＳＷを出力する。また、表示モード切替部３３ｃは、当該判定時に、メモリ制御部３５に内部タイミング信号ＴＭＧ２を与える。画像切替部３６は、上記の画像切替制御信号ＤＳＷに基づいて、入力される表示信号Ｄ１と表示信号Ｄ２との出力を切り替える。
【００１６】
メモリ３４は、少なくとも１フレーム（１画面）分のホスト画像信号ＨＤを記憶するフレームメモリであり、ホスト画像信号ＨＤを表示信号Ｄ２として出力する。メモリ制御部３５は、メモリ３４へのホスト画像信号ＨＤの書き込みおよび読み出しを制御する。具体的には、メモリ制御部３５は、メモリ表示モード時に、制御部３１から与えられるホストタイミング信号ＨＴＭＧに基づくタイミングで、入力されるホスト画像信号ＨＤを書きむとともに、記憶しているホスト画像信号ＨＤを内部タイミング信号ＴＭＧ２に基づくタイミングで読み出すように、メモリ３４を制御する。
【００１７】
上記のように構成される表示システム１１の動作の概略について説明する。通常表示モードにおいて、ホストプロセッサ１からのホスト画像信号ＨＤにより表示が行われる。制御部３１は、モード切替制御信号ＭＳＷに基づいて、外部タイミング信号ＴＭＧ１を切替制御部３３およびメモリ制御部３５に出力する。また、表示モード切替部３３ｃは、表示信号Ｄ１を選択する画像切替制御信号ＤＳＷを画像切替部３６に与える。これにより、画像切替部３６は、表示信号Ｄ１をＬＣＤ２に出力する。
【００１８】
ホストプロセッサ１は、画像が更新されていないと判断すると、通常表示モードからメモリ表示モードに切り替えるモード切替制御信号ＭＳＷをコマンド等の形態で出力する。タイミング調整部３３ａは、モード切替制御信号ＭＳＷを受けて、内部タイミング生成部３２に対して内部タイミング信号ＴＭＧ２の調整を行うように指示する。タイミング比較部３３ｂは、外部タイミング信号ＴＭＧ１を内部タイミング信号ＴＭＧ２と比較して、外部タイミング信号ＴＭＧ１が切替判定期間にあるか否かを判定する。外部タイミング信号ＴＭＧ１が切替判定期間にあれば、表示モード切替部３３ｃは、内部タイミング生成部３２からの内部タイミング信号ＴＭＧ２をＬＣＤ２に出力するとともにメモリ制御部３５に与える。また、表示モード切替部３３ｃは、メモリ３４から出力される表示信号Ｄ２を選択する画像切替制御信号ＤＳＷを画像切替部３６に与える。
【００１９】
メモリ３４は、メモリ制御部３５の制御により、外部タイミング信号ＴＭＧ１を基準としたタイミングでホスト画像信号ＨＤを書き込み、内部タイミング信号ＴＭＧ２に基づくタイミングでホスト画像信号ＨＤを表示信号Ｄ２として読み出す。メモリ制御部３５は、メモリ３４の書き込みおよび読み出しにおいて、２画面分のメモリ３４を適宜切り替える公知の方法により、データの追い越しが発生しないように適切に制御する。メモリ表示モードへの移行が完了すると、ホストプロセッサ１は、ホスト画像信号ＨＤおよびホストタイミング信号ＨＴＭＧの出力を停止することができる。
【００２０】
ホストプロセッサ１は、画像が更新されていると判断すると、メモリ表示モードから通常表示モードに切り替えるモード切替制御信号ＭＳＷを出力する。切替制御部３３は、通常表示モードからメモリ表示モードへの切り替え時と同様にして、内部タイミング信号ＴＭＧ２を調整することにより、外部タイミング信号ＴＭＧ１が切替判定期間に達していると判定すると、外部タイミング信号ＴＭＧ１をＬＣＤ２に出力するとともに、内部タイミング信号ＴＭＧ２のメモリ制御部３５への出力を停止する。また、切替制御部３３は、画像切替部３６に表示信号Ｄ１を出力させる。通常表示モードへの移行が完了すると、通常表示モードにおいて動作する必要のない部分であるメモリ３４、メモリ制御部３５等については、動作クロックＣＬＫおよび電源の供給を停止することができる。
【００２１】
以上のように、本表示システム１１では、表示モードの切り替え時に、外部タイミング信号ＴＭＧ１が切替判定期間に達するように、切替制御部３３が、内部タイミング信号ＴＭＧ２の調整を行って、ＬＣＤ表示信号ＬＤおよびＬＣＤタイミング信号ＬＴＭＧを切り替える。これにより、特許文献１に開示された表示装置において設けられているような駆動停止期間を必要とすることなく表示モードを切り替えるので、表示モードの切り替え時に生じる表示画像のちらつきを防止することができる。しかも、通常表示モードにおいては、メモリ３４を使用しないことから、メモリ３４、メモリ制御部３５等への動作クロックＣＬＫおよび電源の供給を停止して、消費電力を削減することができる。
【００２２】
〔実施形態１〕
本発明の実施形態１について、図１〜図６を参照して説明すれば以下の通りである。図２の（ａ）は、表示システム１１におけるＬＣＤコントローラ３のメモリ表示モードから通常表示モードへの切り替え時の動作を示すタイミングチャートであり、図２の（ｂ）は図２の（ａ）の一部を拡大して示すタイミングチャートである。図３の（ａ）はＬＣＤコントローラ３のメモリ表示モードから通常表示モードへの切り替え時の処理手順を示すフローチャートであり、図３の（ｂ）は図３の（ａ）のフローチャートにおけるタイミング調整の詳細な処理手順を示すフローチャートである。図４は、内部タイミング生成部３２によるタイミングの設定例を示す図である。ここでは、表示モードをメモリ表示モードから通常表示モードに切り替えるＬＣＤコントローラ３の動作について説明する。
【００２３】
図１に示す前述の表示システム１１において、図２の（ａ）に示すように、メモリ表示モードでは、ＬＣＤコントローラ３は、メモリ３４からの表示信号Ｄ２と、内部タイミング生成部３２からの内部タイミング信号ＴＭＧ２とをＬＣＤ２に出力する。また、図３の（ａ）に示すように、メモリ表示モードにおいて、制御部３１は、モード切替制御信号ＭＳＷを受信したか否かを判定する（Ｓ１）。Ｓ１でＹＥＳの場合、切替制御部３３は内部タイミング信号ＴＭＧ２のタイミング調整を行う（Ｓ２，タイミング調整工程）。タイミング調整期間中は、メモリ表示モードと同様に、表示信号Ｄ２および内部タイミング信号ＴＭＧ２がＬＣＤコントローラ３から出力される。
【００２４】
切替制御部３３は、図２の（ａ）に示すタイミング調整期間に、外部タイミング信号ＴＭＧ１が前述の切替判定期間に相当する切替判定期間ＴＳＷに達するように、内部タイミング信号ＴＭＧ２を調整する。切替制御部３３は、内部タイミング信号ＴＭＧ２の調整を終えると、内部タイミング信号ＴＭＧ２から外部タイミング信号ＴＭＧ１に切り替えるとともに、ＬＣＤ表示信号ＬＤを表示信号Ｄ２から表示信号Ｄ１に切り替えるように、画像切替部３６を制御する（Ｓ３，表示モード切替工程）。このように通常モードに移行すると、ＬＣＤコントローラ３が表示信号Ｄ１および外部タイミング信号ＴＭＧ１を出力する。
【００２５】
続いて、切替制御部３３による上記のタイミング調整動作について説明する。ここでは、外部タイミング信号ＴＭＧ１および内部タイミング信号ＴＭＧ２として垂直同期信号を用いる例について述べる。これは、以降の実施形態２および３についても同様である。
【００２６】
内部タイミング生成部３２は、図４に示すように内部タイミング信号ＴＭＧ２を設定する。具体的には、内部タイミング生成部３２は、１フレームの全ラインを表示する垂直走査期間ＩＶｔｏｔａｌについて、垂直同期信号ＩＶｓｙｎｃと、垂直バックポーチＩＶｂｐと、画像転送期間ＩＶｄｅと、垂直フロントポーチ（以降、単にフロントポーチと称する）ＩＶｆｐとをこの順で全水平ラインについて配置してタイミングを設定する。画像転送期間ＩＶｄｅは、ホスト画像信号ＨＤの１垂直走査期間における転送期間である。内部タイミング生成部３２は、画像転送期間ＩＶｄｅの先頭から垂直バックポーチＩＶｂｐをおいて垂直同期信号ＩＶｓｙｎｃを設定し、画像転送期間ＩＶｄｅの末尾から垂直フロントポーチＩＶｆｐをおいて次の１垂直走査期間の垂直同期信号ＩＶｓｙｎｃを設定する。これらの設定は、表示品位に影響がない範囲内において適切になされている。
【００２７】
なお、ここでは、ホストプロセッサ１からの１フレームのホスト画像信号ＨＤの転送期間が画像転送期間ＩＶｄｅとほぼ等しいものとする。また、タイミング調整期間中の垂直フロントポーチＩＶｆｐは表示に影響のない範囲を考慮して予め設定されているものとする。また、ホストプロセッサ１からのホスト画像信号ＨＤおよびホストタイミング信号ＨＴＭＧの出力タイミングは、内部タイミング生成部３２によって設定されるタイミングと同様にして設定されている。具体的には、図示はしないが、垂直同期信号ＨＶｓｙｎｃと、垂直バックポーチＨＶｂｐと、画像転送期間ＨＶｄｅと、垂直フロントポーチＨＶｆｐとがこの順で全水平ラインについて配置されている。また、内部タイミング生成部３２およびホストプロセッサ１においては、垂直に関するタイミング以外の必要な設定が適宜なされているものとする。
【００２８】
図３の（ｂ）に示すように、タイミング調整部３３ａは、フロントポーチＩＶｆｐの設定を短くするフロントポーチＩＶｆｐ−（ＩＶｆｐ＞ＩＶｆｐ−）に変更するように内部タイミング生成部３２に指示すると（Ｓ４）、内部タイミング生成部３２はフロントポーチＩＶｆｐの設定をフロントポーチＩＶｆｐ−に変更する（Ｓ５）。これにより、前述の垂直フロントポーチＨＶｆｐとほぼ等しいフロントポーチＩＶｆｐが短いフロントポーチＩＶｆｐ−に変更されるので、外部タイミング信号ＴＭＧ１（垂直同期信号ＨＶｓｙｎｃ）が内部タイミング信号ＴＭＧ２（垂直同期信号ＩＶｓｙｎｃ）に徐々に近づいていく。
【００２９】
タイミング比較部３３ｂは、図２の（ａ）に示すタイミング調整期間に、内部タイミング信号ＴＭＧ２と外部タイミング信号ＴＭＧ１との位相差を図２の（ｂ）に示すように比較して、外部タイミング信号ＴＭＧ１の立ち上がりが切替判定期間ＴＳＷにあるか否かを判定する（Ｓ６）。図２の（ｂ）に示すように、切替判定期間ＴＳＷは、内部タイミング信号ＴＭＧ２の立ち上がりから前の所定の第１期間Ｔ１と、内部タイミング信号ＴＭＧ２の立ち上がりから後の所定の第２期間Ｔ２とからなる。第１期間Ｔ１および第２期間Ｔ２は、それぞれ、内部タイミング信号ＴＭＧ２の立ち上がりを起点とした、動作クロックＣＬＫの所定のクロック数で規定されている。第１期間Ｔ１の開始は「第１期間の範囲内境界」の範囲で定まり、第２期間Ｔ２の終了は「第２期間の範囲内境界」の範囲で定まる。なお、動作クロックＣＬＫは、ホスト画像信号ＨＤ（表示信号Ｄ１）、表示信号Ｄ２およびＬＣＤ表示信号ＬＤを転送するタイミングを規定しており、ホスト画像信号ＨＤにおける１画素分の画素信号を１クロックのタイミングで転送する。したがって、ホスト画像信号ＨＤが、フルＨＤ（High Definition）画像（１９２０画素×１０８０ライン）の信号である場合、１ライン当たり、１９２０画素と同数のクロックと、当該クロックに付加される任意数のクロックとが必要となる。また、動作クロックＣＬＫは、画像信号および表示信号の転送だけではなく、内部タイミング信号ＴＭＧ２を含むＬＣＤコントローラ３における各部の動作のタイミングを規定している。
【００３０】
タイミング比較部３３ｂは、外部タイミング信号ＴＭＧ１の立ち上がりと内部タイミング信号ＴＭＧ２の立ち上がりとの間の位相差を、動作クロックＣＬＫのクロック数の差であるクロック差ＣＤＩＦＦとして検出して、当該クロック差ＣＤＩＦＦに基づいて上記の判定を行う。具体的には、タイミング比較部３３ｂは、外部タイミング信号ＴＭＧ１の位相が内部タイミング信号ＴＭＧ２の位相より進んでいる場合、外部タイミング信号ＴＭＧ１の立ち上がりから内部タイミング信号ＴＭＧ２の立ち上がりまでのクロック差ＣＤＩＦＦをカウントして、カウント値が第１期間のクロック数以下であれば、外部タイミング信号ＴＭＧ１の立ち上がりが切替判定期間ＴＳＷにあると判定する。また、タイミング比較部３３ｂは、外部タイミング信号ＴＭＧ１の位相が内部タイミング信号ＴＭＧ２の位相より遅れている場合、内部タイミング信号ＴＭＧ２の立ち上がりから外部タイミング信号ＴＭＧ１の立ち上がりまでのクロック差ＣＤＩＦＦをカウントして、カウント値が第２期間のクロック数以下であれば、外部タイミング信号ＴＭＧ１の立ち上がりが切替判定期間ＴＳＷにあると判定する。タイミング比較部３３ｂは、このような処理によって、外部タイミング信号ＴＭＧ１が切替判定期間ＴＳＷにあると判定するまで（Ｓ６のＹＥＳ）、必要に応じてＳ６の処理を繰り返して、タイミング調整処理を終える。なお、通常表示モードからメモリ表示モードへの切り替えは、切り替え対象となる信号が上述の例と異なるだけであり、上述の処理と同様の処理によって行われるので、ここではその説明を省略する。
【００３１】
以上のように、本実施形態では、表示モードの切り替え時に、内部タイミング生成部３２が、切替制御部３３の指示に応じてフロントポーチＩＶｆｐの設定をフロントポーチＩＶｆｐ−に変更することで、外部タイミング信号ＴＭＧ１の位相が内部タイミング信号ＴＭＧ２の位相に近づいていく。従って、フロントポーチＩＶｆｐの設定、および外部タイミング信号ＴＭＧ１と内部タイミング信号ＴＭＧ２との位相比較という２つの処理により、表示モードの最適な切り替えのタイミングを決定することができる。
【００３２】
〈変形例〉
実施形態１の変形例について説明する。図５の（ａ）は本変形例に係る表示システム１１におけるＬＣＤコントローラ３の通常表示モードからメモリ表示モードへの切り替え時の動作を示すタイミングチャートであり、図５の（ｂ）は図５の（ａ）の一部を拡大して示すタイミングチャートである。図６は、本変形例のＬＣＤコントローラ３の通常表示モードからメモリ表示モードへの切り替え時の処理手順を示すフローチャートである。本変形例では、通常表示モードからメモリ表示モードへの切り替え時における、ＬＣＤコントローラ３のタイミング調整を行わない動作について説明する。
【００３３】
図５の（ａ）に示すように、ＬＣＤコントローラ３は、通常表示モードからメモリ表示モードへの切り替え時に、前述のタイミング調整期間を必要としない。図６に示すように、通常表示モードにおいて、制御部３１は、モード切替制御信号ＭＳＷを受信したか否かを判定する（Ｓ１１）。Ｓ１１でＹＥＳの場合、タイミング調整部３３ａは、外部タイミング信号ＴＭＧ１が切替判定期間ＴＳＷにある（含まれる）ようになるタイミングで内部タイミング生成部３２を起動する（Ｓ１２）。そして、表示モード切替部３３ｃは、内部タイミング信号ＴＭＧ２に切り替えるとともに、表示信号Ｄ２に切り替える（Ｓ１３）。
【００３４】
タイミング調整部３３ａは、Ｓ１２の処理において、例えば、図５の（ｂ）に示すように、外部タイミング信号ＴＭＧ１の立ち上がりに同期して内部タイミング生成部３２を起動する。これにより、外部タイミング信号ＴＭＧ１の立ち上がりが切替判定期間ＴＳＷ内に確実にあることになる。あるいは、タイミング調整部３３ａは、Ｓ１２の処理において、図示はしないが、通常表示モードにおいて出力されている表示信号Ｄ１の末尾から動作クロックＣＬＫのクロック数を所定値までカウントしたときに内部タイミング生成部３２を起動させてもよい。表示信号Ｄ１の末尾から外部タイミング信号ＴＭＧ１の立ち上がりまでの期間（垂直フロントポーチＨＶｆｐ）が前述のように決まっていることから、上記の所定値は、外部タイミング信号ＴＭＧ１の立ち上がりが、内部タイミング生成部３２の起動タイミングで定まる切替判定期間ＴＳＷにあるように予め設定されている。
【００３５】
このように、本変形例では、表示モードの切り替えの一方である通常表示モードからメモリ表示モードへの切り替え時に、外部タイミング信号ＴＭＧ１が切替判定期間ＴＳＷにあるようなタイミングで内部タイミング生成部３２を起動することから、内部タイミング生成部３２およびタイミング調整部３３ａが行う前述のタイミング調整動作を省略することができる。なお、本変形例は、後述する実施形態２および３にも適用が可能である。
【００３６】
〔実施形態２〕
本発明の他の実施形態について、図１、図７および図８に基づいて説明すれば、以下の通りである。なお、説明の便宜上、前述の実施形態１にて説明した構成要素と同じ機能を有する構成要素については、同じ符号を付記し、その説明を省略する。図７は、実施形態２の表示システム１１における内部タイミング生成部３２によるタイミングの変更例を示す図である。図８は、実施形態２の表示システム１１における切替制御部３３によるタイミング調整の詳細な処理手順を示すフローチャートである。本実施形態では、実施形態１と異なり、図７に示すように、タイミング調整部３３ａが、フロントポーチＩＶｆｐの設定を長くするフロントポーチＩＶｆｐ＋（ＩＶｆｐ＋＞ＩＶｆｐ−）に変更するように内部タイミング生成部３２に指示する。
【００３７】
図８に示すように、タイミング調整部３３ａは、フロントポーチＩＶｆｐの設定をフロントポーチＩＶｆｐ＋に変更するように内部タイミング生成部３２に指示する（Ｓ２１）。これに応じて、内部タイミング生成部３２は、フロントポーチＩＶｆｐの設定をフロントポーチＩＶｆｐ＋に変更する（Ｓ２２）。フロントポーチＩＶｆｐの設定をフロントポーチＩＶｆｐ＋に変更することにより、前述の垂直フロントポーチＨＶｆｐとほぼ等しいフロントポーチＩＶｆｐが長いフロントポーチＩＶｆｐ＋に変更されるので、外部タイミング信号ＴＭＧ１（垂直同期信号ＨＶｓｙｎｃ）が内部タイミング信号ＴＭＧ２（垂直同期信号ＩＶｓｙｎｃ）に徐々に近づいていく。タイミング比較部３３ｂは、タイミング調整期間に、内部タイミング信号ＴＭＧ２と外部タイミング信号ＴＭＧ１との位相差を実施形態１と同様に比較して、外部タイミング信号ＴＭＧ１の立ち上がりが切替判定期間ＴＳＷにあるか否かを判定する（Ｓ２３）。タイミング比較部３３ｂは、外部タイミング信号ＴＭＧ１が切替判定期間ＴＳＷにあると判定するまで（Ｓ２３のＹＥＳ）、必要に応じてＳ２３の処理を繰り返して、タイミング調整処理を終える。
【００３８】
以上のように、本実施形態では、表示モードの切り替え時に、内部タイミング生成部３２が、切替制御部３３の指示に応じてフロントポーチＩＶｆｐの設定をフロントポーチＩＶｆｐ＋に変更することで、外部タイミング信号ＴＭＧ１の位相が内部タイミング信号ＴＭＧ２の位相に近づいていく。そして、切替制御部３３は、外部タイミング信号ＴＭＧ１の立ち上がりが切替判定期間ＴＳＷにあると判定すると、ＬＣＤ表示信号ＬＤおよびＬＣＤタイミング信号ＬＴＭＧを切り替える。従って、フロントポーチＩＶｆｐの設定変更、および外部タイミング信号ＴＭＧ１と内部タイミング信号ＴＭＧ２との位相比較という２つの処理により、表示モードの最適な切り替えタイミングを決定することができる。
【００３９】
〔実施形態３〕
本発明のさらに他の実施形態について、図１、図９〜図１２に基づいて説明すれば、以下の通りである。なお、説明の便宜上、前述の実施形態１および２にて説明した構成要素と同じ機能を有する構成要素については、同じ符号を付記し、その説明を省略する。図９は、実施形態３の表示システム１１における内部タイミング生成部３２によるタイミングの変更例を示す図である。図１０は、実施形態３の表示システム１１における切替制御部３３によるタイミング調整の詳細な処理手順を示すフローチャートである。本実施形態では、実施形態１および２と異なり、図９に示すように、タイミング調整部３３ａが、フロントポーチＩＶｆｐの設定をフロントポーチＩＶｆｐ−またはフロントポーチＩＶｆｐ＋に変更するように内部タイミング生成部３２に指示する。また、タイミング比較部３３ｂは、フロントポーチＩＶｆｐ−，ＩＶｆｐ＋のいずれを用いるかを判断するため、タイミング調整時に、水平ライン数の閾値期間Ｖｔｈがホストプロセッサ１によって予め設定されている。例えば、ホストプロセッサ１からの１フレームの画像転送期間ＨＶｄｅが、内部タイミング生成部３２で設定される１フレームの画像転送期間ＩＶｄｅにほぼ等しい場合、閾値期間Ｖｔｈが図９に示す垂直走査期間ＩＶｔｏｔａｌの１／２に設定される。なお、ＩＶｔｏｔａｌをこのように設定する理由については、後に詳しく説明する。
【００４０】
図１０に示すように、タイミング比較部３３ｂは、外部タイミング信号ＴＭＧ１の立ち上がりから当該外部タイミング信号ＴＭＧ１の直後の内部タイミング信号ＴＭＧ２の立ち上がりまでのライン数を差期間ＨＩｄｉｆｆとしてカウント（検出）し（Ｓ３１）、カウントした差期間ＨＩｄｉｆｆを閾値期間Ｖｔｈと比較する（Ｓ３２）。タイミング比較部３３ｂがＳ３２において差期間ＨＩｄｉｆｆが閾値期間Ｖｔｈ以下の長さであると判定した場合（ＹＥＳ）、タイミング調整部３３ａは、フロントポーチＩＶｆｐの設定をフロントポーチＩＶｆｐ−に変更するように内部タイミング生成部３２に指示する（Ｓ３３）。一方、タイミング比較部３３ｂがＳ３２において差期間ＨＩｄｉｆｆが閾値期間Ｖｔｈを超える長さであると判定した場合（ＮＯ）、タイミング調整部３３ａは、フロントポーチＩＶｆｐの設定をフロントポーチＩＶｆｐ＋に変更するように内部タイミング生成部３２に指示する（Ｓ３４）。
【００４１】
Ｓ３３またはＳ３４での指示に応じて、内部タイミング生成部３２は、フロントポーチＩＶｆｐの設定をフロントポーチＩＶｆｐ−またはフロントポーチＩＶｆｐ＋に変更する（Ｓ３５）。これにより、外部タイミング信号ＴＭＧ１が内部タイミング信号ＴＭＧ２に徐々に近づいていく。タイミング調整部３３ａは、タイミング調整期間に、内部タイミング信号ＴＭＧ２と外部タイミング信号ＴＭＧ１との位相差を実施形態１および２と同様に比較して、外部タイミング信号ＴＭＧ１の立ち上がりが切替判定期間ＴＳＷにあるか否かを判定する（Ｓ３６）。そして、タイミング調整部３３ａは、外部タイミング信号ＴＭＧ１が切替判定期間ＴＳＷにあると判定するまで（Ｓ３６のＹＥＳ）、必要に応じてＳ３６の処理を繰り返して、タイミング調整処理を終える。
【００４２】
以上のように、本実施形態では、表示モードの切り替え時に、内部タイミング生成部３２が、差期間ＨＩｄｉｆｆの閾値期間Ｖｔｈに対する大小に応じて、切替制御部３３の指示に応じて、フロントポーチＩＶｆｐの設定をフロントポーチＩＶｆｐ−またはフロントポーチＩＶｆｐ＋に変更することで、タイミング調整に要する時間を実施形態１および２によるタイミング調整と比べて短縮することができる場合がある。また、本実施形態では、ホストプロセッサ１からの１フレームの画像転送期間ＨＶｄｅが内部タイミング生成部３２で設定される１フレームの画像転送期間ＩＶｄｅがほぼ等しい例を説明したが、それ以外の場合においても、閾値期間Ｖｔｈおよび両画像転送期間ＨＶｄｅ，ＩＶｄｅを適宜設定することにより、同様にタイミング調整時間を短くした最適な動作が可能である。以下に、タイミング調整時間を短縮できる事例について説明する。図１１の（ａ）および（ｂ）は、本実施形態がタイミング調整時間を短縮できる事例を示す図である。図１１の（ａ）および（ｂ）に示す事例では、説明の便宜上、前述の切替判定期間ＴＳＷにおいて外部タイミング信号ＴＭＧ１の位相と内部タイミング信号ＴＭＧ２の位相とが一致した場合に表示モードを切り替えるものとする。
【００４３】
図１１の（ａ）に示す事例においては、実施形態３のように、差期間ＨＩｄｉｆｆが閾値期間Ｖｔｈを超える長さである場合、フロントポーチＩＶｆｐの設定をフロントポーチＩＶｆｐ＋に変更することにより、外部タイミング信号ＴＭＧ１の位相が内部タイミング信号ＴＭＧ２の位相と一致するタイミングが実施形態１の同タイミングと比べて早くなる。図１１の（ｂ）に示す事例においては、実施形態３のように、差期間ＨＩｄｉｆｆが閾値期間Ｖｔｈ以下の長さである場合、フロントポーチＩＶｆｐの設定をフロントポーチＩＶｆｐ−に変更することにより、外部タイミング信号ＴＭＧ１の位相が内部タイミング信号ＴＭＧ２の位相と一致するタイミングが実施形態２の同タイミングと比べて早くなる。
【００４４】
ここで、閾値期間Ｖｔｈを垂直走査期間ＩＶｔｏｔａｌの１／２に設定する理由を説明する。図１２は閾値期間Ｖｔｈの設定事例を示す図である。本事例でも、説明の便宜上、切替判定期間ＴＳＷにおいて外部タイミング信号ＴＭＧ１の位相と内部タイミング信号ＴＭＧ２の位相とが一致した場合に表示モードを切り替えるものとする。また、図１２において、外部タイミング信号ＴＭＧ１の立ち上がりから閾値期間Ｖｔｈ後のタイミングと、内部タイミング信号ＴＭＧ２の立ち上がりとの差の期間を差期間Ｖｄｉｆｆとする。
【００４５】
図１２に示すように、フロントポーチＩＶｆｐ−の場合、差期間Ｖｄｉｆｆが大きくなるに従って両タイミング信号ＴＭＧ１，ＴＭＧ２の位相が一致する時期が遅くなる。一方、フロントポーチＩＶｆｐ＋の場合は、差期間Ｖｄｉｆｆが大きくなるに従って両タイミング信号ＴＭＧ１，ＴＭＧ２の位相が一致する時期が早くなる。このように、差期間Ｖｄｉｆｆにより、両タイミング信号ＴＭＧ１，ＴＭＧ２の位相が一致する時期の早さは、ある境界（閾値期間Ｖｔｈ）で逆転する。具体的には、ホスト画像信号ＨＤ（表示信号Ｄ１）および表示信号Ｄ２が、フルＨＤ画像（１９２０画素×１０８０ライン）の信号である場合、垂直走査期間ＩＶＴｏｔａｌを１０９０ラインとし、フロントポーチＩＶｆｐを４ラインとし、フロントポーチＩＶｆｐ＋を５ラインとし、フロントポーチＩＶｆｐ−を３ラインとし、バックポーチＩＶｂｐ（図示省略）を５ラインとし、外部タイミング信号ＴＭＧ１および内部タイミング信号ＴＭＧ２をともに１ラインとする設定が前提である場合、フロントポーチＩＶｆｐ−に変更するとき、内部タイミング信号ＴＭＧ２はフレーム毎に−１ラインずつ外部タイミング信号ＴＭＧ１に近づく。一方、フロントポーチＩＶｆｐ＋に変更するとき、内部タイミング信号ＴＭＧ２はフレーム毎に＋１ラインずつ外部タイミング信号ＴＭＧ１に近づいていく。これにより、ホストプロセッサ１からの１フレームの画像転送期間ＨＶｄｅが内部タイミング生成部３２で設定される１フレームの画像転送期間ＩＶｄｅとほぼ等しい場合に、閾値期間Ｖｔｈを垂直走査期間ＩＶｔｏｔａｌ／２と設定することにより、最適なタイミング調整が可能となる。
【００４６】
なお、上記の実施形態１〜３のそれぞれにおいて、内部タイミング信号ＴＭＧ２を調整するのに垂直フロントポーチＩＶｆｐの長さを増減する方法にて説明を行っているが、本発明はこれに限定されるものではなく、垂直バックポーチＩＶｂｐの長さを増減して内部タイミング信号ＴＭＧ２を調整してもよい。すなわち、垂直フロントポーチＩＶｆｐおよび垂直バックポーチＩＶｂｐの少なくともいずれか一方の長さを調整することで内部タイミング信号ＴＭＧ２を調整すればよい。
【００４７】
〔ソフトウェアによる実現例〕
ＬＣＤコントローラ３の制御ブロック（制御部３１、内部タイミング生成部３２および表示モード切替制御部３３）は、集積回路（ＩＣチップ）等に形成された論理回路（ハードウェア）によって実現してもよいし、ＣＰＵ（Central Processing Unit）を用いてソフトウェアによって実現してもよい。
【００４８】
後者の場合、ＬＣＤコントローラ３は、表示制御方法の各工程を実現するソフトウェアである表示制御プログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００４９】
〔まとめ〕
本発明の態様１に係る表示制御装置（ＬＣＤコントローラ３）は、メモリ３４を介さずに転送される画像信号および当該画像信号によって画像を表示するタイミングを規定する第１タイミング信号（外部タイミング信号ＴＭＧ１）を表示装置に出力する通常表示モードと、前記メモリ３４を介して転送される前記画像信号および当該画像信号によって画像を表示するタイミングを規定する第２タイミング信号（内部タイミング信号ＴＭＧ２）を前記表示装置に出力するメモリ表示モードとを切り替える表示制御装置であって、前記通常表示モードから前記メモリ表示モードへの切り替え時、および前記メモリ表示モードから前記通常表示モードへ切り替え時の少なくともいずれか一方において、前記第１タイミング信号が前記第２タイミング信号を基準とする切替判定期間ＴＳＷに含まれるように、前記第２タイミング信号のタイミングを調整するタイミング調整部３３ａと、前記第１タイミング信号が前記切替判定期間ＴＳＷに含まれたとき、前記通常表示モードと前記メモリ表示モードとを切り替える表示モード切替部３３ｃとを備える。また、本発明の他の態様に係る表示制御方法は、タイミング調整部３３ａが行う処理を実行するタイミング調整工程と、表示モード切替部３３ｃが行う処理を実行する表示モード切替工程とを含むものである。上記の構成では、表示モードの切り替え時に生じる表示画像のちらつきを防止することができる。
【００５０】
本発明の態様２に係る表示制御装置は、上記態様１において、前記タイミング調整部３３ａが、前記画像信号と前記第２タイミング信号との間の垂直フロントポーチＩＶｆｐおよび垂直バックポーチＩＶｂｐの少なくとも一方を短くするように前記第２タイミング信号のタイミングを調整してもよい。また、本発明の態様３に係る表示制御装置は、上記態様１において、前記タイミング調整部３３ａが、前記画像信号と前記第２タイミング信号との間の垂直フロントポーチＩＶｆｐおよび垂直バックポーチＩＶｂｐの少なくとも一方を長くするように前記第２タイミング信号のタイミングを調整してもよい。これらの構成により、第１タイミング信号の位相が第２タイミング信号の位相に近づいていくので、垂直フロントポーチＩＶｆｐおよび垂直バックポーチＩＶｂｐの少なくとも一方を上記のように調整するのみで、第１タイミング信号が切替判定期間に達して含まれるようになる。
【００５１】
本発明の態様４に係る表示制御装置は、上記態様１において、前記タイミング調整部３３ａが、前記第１タイミング信号と前記第２タイミング信号との立ち上がりの差期間ＨＩｄｉｆｆが所定の閾値期間Ｖｔｈ以下の長さであるとき、前記画像信号と前記第２タイミング信号との間の垂直フロントポーチＩＶｆｐおよび垂直バックポーチＩＶｂｐの少なくとも一方を短くするように前記第２タイミング信号のタイミングを調整する一方、前記差期間ＨＩｄｉｆｆが前記閾値期間Ｖｔｈを超える長さであるとき、前記垂直フロントポーチＩＶｆｐおよび垂直バックポーチＩＶｂｐの少なくとも一方を長くするように前記第２タイミング信号のタイミングを調整してもよい。これにより、表示モードの切り替え時に、タイミング調整に要する時間を態様２および３のタイミング調整と比べて短縮できる場合がある。
【００５２】
本発明の態様５に係る表示制御装置は、上記態様４において、前記閾値期間Ｖｔｈが垂直走査期間ＩＶｔｏｔａｌの１／２に設定されていてもよい。これにより、第１タイミング信号の位相を第２タイミング信号の位相に早く近づけることができる。
【００５３】
本発明の態様６に係る表示制御装置は、上記態様１から５のいずれかにおいて、前記通常表示モードから前記メモリ表示モードへの切り替え時、前記画像信号を基準として、前記第１タイミング信号が前記切替判定期間ＴＳＷに達するようなタイミングで前記第２タイミング信号を生成するタイミング信号生成部（内部タイミング生成部３２）をさらに備えていてもよい。これにより、前述のようなタイミング調整を行う必要がない。
【００５４】
本発明の前記の表示制御方法は、コンピュータによって実現してもよく、この場合には、コンピュータを上記表示制御方法が含む各工程（ソフトウェア要素）を実行させることにより上記表示制御方法をコンピュータにて実現させる表示制御プログラム、およびそれを記録したコンピュータ読み取り可能な記録媒体も、本発明の範疇に入る。
【００５５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。また、各実施形態にそれぞれ開示された技術的手段を組み合わせることで、新しい技術的特徴を形成できる。
【産業上の利用可能性】
【００５６】
本発明は、通常表示モードとメモリ表示モードとを切り替えて表示を行う表示装置に好適に利用することができる。
【符号の説明】
【００５７】
１  ホストプロセッサ（画像供給源）
２  ＬＣＤ（表示装置）
３  ＬＣＤコントローラ（表示制御装置）
３２  内部タイミング生成部（タイミング信号生成部）
３３ａ  タイミング調整部
３３ｃ  表示モード切替部
ＨＤ  ホスト画像信号（画像信号）
ＨＩｄｉｆｆ  差期間
ＩＶｆｐ  垂直フロントポーチ
ＩＶｂｐ  垂直バックポーチ
ＴＭＧ１  外部タイミング信号（第１タイミング信号）
ＴＭＧ２  内部タイミング信号（第２タイミング信号）
Ｖｔｈ  閾値期間
【図１】
2016194974.tif 000003
【図２】
2016194974.tif 000004
【図３】
2016194974.tif 000005
【図４】
2016194974.tif 000006
【図５】
2016194974.tif 000007
【図６】
2016194974.tif 000008
【図７】
2016194974.tif 000009
【図８】
2016194974.tif 000010
【図９】
2016194974.tif 000011
【図１０】
2016194974.tif 000012
【図１１】
2016194974.tif 000013
【図１２】
2016194974.tif 000014
【国際調査報告】
2016194974.tif 000015
2016194974.tif 000016
2016194974.tif 000017
2016194974.tif 000018